(57)【要約】【課題】係合部と竪樋とが係合できる状態から変化しないようにすることができる竪樋支持具を提供する。【解決手段】竪樋支持具１は、家屋７の外壁に固定される固定部２と、固定部２に水平方向に回動自在に取付けられる回動部３と、回動部３に水平方向に回動自在に取付けられ竪樋５に設けられる被係合部６と係合する係合部４と、を備える。固定部２は、回動部３側に締付孔２２を有し、回動部３は、締付孔２２と連通し固定部２側に設けられる固定部連結孔３１を有し、締付孔２２と固定部連結孔３１と締結具９により、回動部３と固定部２が任意の姿勢に固定される。回動部３は、係合部４側に係合部連結孔３２を有する。係合部４は、係合部連結孔３２と連通し回動部３側に設けられる連結孔４１ａを有し、係合部連結孔３２と連結孔４１ａと締結具９により、回動部３と係合部４が任意の姿勢に固定されることを特徴とする。【選択図】図１
2014221976.tif 000002
【特許請求の範囲】
【請求項１】
家屋の外壁に固定される固定部と、前記固定部に水平方向に回動自在に取付けられる回動部と、前記回動部に水平方向に回動自在に取付けられ竪樋に設けられる被係合部と係合する係合部と、を備える竪樋支持具であって、
前記固定部は、前記回動部側に締付孔を有し、
前記回動部は、前記締付孔と連通し前記固定部側に設けられる固定部連結孔を有し、
前記締付孔と前記固定部連結孔と締結具により、前記回動部と前記固定部が任意の姿勢に固定され、
前記回動部は、前記係合部側に係合部連結孔を有し、
前記係合部は、前記係合部連結孔と連通し前記回動部側に設けられる連結孔を有し、
前記係合部連結孔と前記連結孔と締結具により、前記回動部と前記係合部が任意の姿勢に固定されることを特徴とする竪樋支持具。
【発明の詳細な説明】
【技術分野】
【０００１】
本発明は、竪樋支持具に関するものである。
【背景技術】
【０００２】
従来から、家屋の外壁に固定される固定部と、固定部に軸支されその軸により回動自在となる係合部と、を備えた竪樋支持具が知られている（例えば特許文献１参照）。
【先行技術文献】
【特許文献】
【０００３】
【特許文献１】特開２０００−２５７２２６号公報
【発明の概要】
【発明が解決しようとする課題】
【０００４】
ところで、竪樋支持具は上下方向に一列になり、竪樋と対向するように家屋の外壁に固定される。しかし、竪樋支持具が上下方向に一列にならず、左右方向にずれが生じる場合があった。そこで、特許文献１に記載されている発明では、固定部と係合部とを連通する孔を設け、その孔に軸を挿入し、その軸を中心に係合部を回動させることにより、左右方向のずれを修正していた。ここで、係合部は一つの軸により回動するので、係合部が竪樋と保持できる状態から変化してしまう。そのため、回動する角度が小さい場合はよいが、回動する角度が大きくなると、竪樋と係合部とが保持できなくなってしまう虞があった。
【０００５】
本発明は上記従来の問題点に鑑みて発明したものであって、その目的とするところは、係合部が竪樋と係合できる状態から変化しないようにすることができる竪樋支持具を提供することを課題とするものである。
【課題を解決するための手段】
【０００６】
上記課題を解決するために、本発明は、以下のような構成とする。
【０００７】
家屋の外壁に固定される固定部と、前記固定部に水平方向に回動自在に取付けられる回動部と、前記回動部に水平方向に回動自在に取付けられ竪樋に設けられる被係合部と係合する係合部と、を備える竪樋支持具であって、前記固定部は、前記回動部側に締付孔を有し、前記回動部は、前記締付孔と連通し前記固定部側に設けられる固定部連結孔を有し、前記締付孔と前記固定部連結孔と締結具により、前記回動部と前記固定部が任意の姿勢に固定され、前記回動部は、前記係合部側に係合部連結孔を有し、前記係合部は、前記係合部連結孔と連通し前記回動部側に設けられる連結孔を有し、前記係合部連結孔と前記連結孔と締結具により、前記回動部と前記係合部が任意の姿勢に固定されることを特徴とする。
【発明の効果】
【０００８】
本発明の竪樋支持具は、固定部と回動部、回動部と係合部とを締結具で締結するので、夫々の締結具を軸に回動部と係合部を回動させることができる。また二つの軸を有しているので、竪樋支持具の左右方向のずれを修正できるだけでなく、係合部と竪樋とが係合できる状態から変化しないようにすることができる。
【図面の簡単な説明】
【０００９】
【図１】本実施形態の竪樋支持具と竪樋とを係合した平面図である。
【図２】本実施形態の竪樋支持具と竪樋とを係合した側面図である。
【発明を実施するための形態】
【００１０】
以下、本発明を添付図面に示す実施形態に基づいて説明する。
【００１１】
竪樋支持具１は、家屋７の外壁に固定される固定部２と、固定部２に水平方向に回動自在に取付けられる回動部３と、回動部３に水平方向に回動自在に取付けられ竪樋５に設けられる被係合部６と係合する係合部４と、を備える。
【００１２】
固定部２は、本実施形態では、図２に示すように、側面視Ｌ字状となっているが、その形状は特に限定されない。固定部２は、固定部２の家屋７側に固定部２を家屋７の外壁に固定する固着具８を挿通するための挿通孔２１を有する。固定部２は、固定部２の回動部３側に固定部２に回動部３を連結するための締付孔２２を有する。
【００１３】
回動部３は、本実施形態では、図１に示すように、板状であり平面視矩形状となっているが、その形状は特に限定されない。回動部３は、締付孔２２と連通し回動部３の固定部２側に設けられる固定部連結孔３１を有する。締付孔２２と固定部連結孔３１には、本実施形態では、締結具９が挿通される。回動部３は、締付孔２２と固定部連結孔３１に挿通された締結具９を軸に、回動する。回動部３と固定部２は、締付孔２２と固定部連結孔３１と締結具９により、任意の姿勢に固定される。回動部３と固定部２は、本実施形態では、図２に示すように、螺子９１と受け具９２を備えた締結具９により任意の姿勢に固定される。なお、締付孔２２の内面に雌ねじ部を設け、螺子９１となる締結具９に設けられる雄ねじ部を雌ねじ部に螺合させ、回動部３と固定部２とが任意の姿勢に固定されてもよい。回動部３は、図２に示すように、回動部３の係合部４側に係合部連結孔３２を有する。
【００１４】
係合部４は、係合部連結孔３２と連通し回動部３側に設けられる連結孔４１ａを有し、係合部連結孔３２と連結孔４１ａと締結具９により、回動部３と係合部４が任意の姿勢に固定される。係合部４は、回動部３と連結する連結部４１と、連結部４１から連設される基台部４２と、基台部４２の連結部４１から基台部４２へと向かう方向と直交する方向の両端部から突設される押圧部４３と、基台部４２の中間部から突出される突出部４４と、を備える。
【００１５】
連結部４１は、本実施形態では、図１に示すように、板状で平面視矩形状となっているが、その形状は特に限定されない。連結部４１は、連結部４１の回動部３側に係合部連結孔３２と連通する連結孔４１ａを有する。係合部連結孔３２と連結孔４１ａには、締結具９が挿入される。係合部４は、締結具９を軸に回動する。係合部４１と回動部３は、本実施形態では、固定部２と回動部３との連結と同じように、螺子９１と受け具９２を備えた締結具９により任意の姿勢に固定される。なお、連結孔４１ａに雌ねじ部を設け、螺子９１となる締結具９に設けられる雄ねじ部と螺合させ、係合部４と回動部３とが任意の姿勢に固定されてもよい。連結部４１の回動部３と逆側は、基台部４２が連設される。
【００１６】
基台部４２は、本実施形態では、図１に示すように、平面視略環状となっているが、その形状は、特に限定されない。基台部４２は、本実施形態では、図２に示すように、上下方向に高さを有する。
【００１７】
押圧部４３は、本実施形態では、平面視略Ｌ字状をしているが、特に限定されない。押圧部４３は、本実施形態では、連結部４１から基台部４２へと向かう方向へ行く程基台部４２の中心へ向かう方向とは逆方向に位置するように傾斜するが、特に限定されない。押圧部４３の先端は、基台部４２の中心方向へ突出する押圧爪部４３ａを有する。押圧爪部４３ａの連結部４１から基台部４２へと向かう方向の端部に、本実施形態では、基台部４２の中心に近付く程基台部４２から連結部４１へと向かう方向に位置するように傾斜を有するが、特に限定されない。
【００１８】
突出部４４は、本実施形態では、平面視略Ｃ字状となっているが、その形状は、特に限定されない。突出部４４は、本実施形態では、基台部４２の連結部４１から基台部４２へと向かう方向の端部から、連結部４１から基台部４２へと向かう方向に突出する。
【００１９】
押圧部４３と突出部４４との間には、竪樋５に設けられる被係合部６が挿入される係合溝４５が設けられる。
【００２０】
竪樋５を家屋７の外壁に固定するため竪樋５の家屋７側に被係合部６が設けられる。被係合部６は、本実施形態では、図１に示すように、平面視略Ｃ字状をしているが、その形状は特に限定されない。被係合部６は、竪樋５に連設される基部６１と、基部６１の竪樋５から家屋７へと向かう方向とは直交する方向の両端部から竪樋５から家屋７へ向かう方向に突出している被押圧部６２と、を備える。
【００２１】
被押圧部６２は、本実施形態では、図１に示すように、平面視Ｌ字状をしているが、特に限定されない。被押圧部６２の先端は、基部６１の中心に向かう方向とは逆方向に突出する被押圧爪部６２ａを有する。被押圧爪部６２ａの竪樋５から家屋７へと向かう方向の端部は、基部６１の中心とは逆方向に行く程家屋７から竪樋５へ向かう方向に傾斜する。
【００２２】
被係合部６は、本実施形態では、図２に示すように、家屋７の外壁に固定される竪樋支持具１に合わせて、竪樋５に間隙を有して振動溶着により設けられる。なお、被係合部６は、竪樋５の上下方向の全長に亘って押出成型により設けられてもよい。
【００２３】
上記した竪樋支持具１と竪樋５を家屋７の外壁に固定するその施工手順について説明する。固定部２の挿通孔２１に固着具８を挿通させ、家屋７に固着具８を打ち込むことにより、本実施形態の竪樋支持具１を家屋７に固定する。次に、被係合部６を家屋７に向けて、竪樋支持具１の係合部４と竪樋５の被係合部６を係合し、竪樋５を家屋７の外壁に固定する。このとき、竪樋支持具１が家屋７の外壁の上下方向に一列に配設されていればよいが、左右方向にずれている場合がある。この場合、竪樋５と竪樋支持具１とが係合し難くなってしまう。そのため、固定部２に取付けられている回動部３を、締付孔２２と固定部連結孔３１とを挿通する締結具９を軸のずれに合わせて回動させる。ずれに合わせて回動部３を回動させると、係合部４と被係合部６とが係合できる状態からずれてしまう。そこで、回動部３の係合部連結孔３２と連通する係合部４の連結孔４１ａとに挿入される締結具９を軸に、回動部３を回動させ、係合部４と被係合部６を対向させる。そして、係合部４の押圧部４３と被係合部６の被押圧部６２とを当接させ、係合部４の係合溝４５の中に被押圧部６２を挿入することにより、竪樋５が家屋７の外壁に固定される。次に、呼び樋と竪樋５の上端との間にエルボを配設し、呼び樋と竪樋５とを接続する。そして、排水筒と竪樋５の下端との間に排水管カバーを配設し、排水筒と竪樋５とを接続する。
【００２４】
上記した竪樋支持具１を用いることにより、竪樋支持具１が家屋７の外壁に上下方向に一列に配設されず、左右方向にずれたとしても、回動部３を回動させることによりそのずれを修正することができる。ここで、回動部３を回動させることにより係合部４と被係合部６とが係合できる状態からずれてしまう。このとき、回動部３の係合部連結孔３２と連通する係合部４の連結孔４１ａとに挿入される締結具９を軸に、回動部３を回動させることにより、係合部４と被係合部６を対向させることができる。そして、係合部４の押圧部４３の押圧爪部４３ａと被係合部６の被押圧部６２の被押圧爪部６２ａとに傾斜が設けられる。この傾斜が設けられることにより、押圧部４３で被押圧部６２を押圧した際、被押圧爪部６２ａが係合溝４５の中に挿入され易くすることができる。
【符号の説明】
【００２５】
１    竪樋支持具
２    固定部
３    回動部
４    係合部
５    竪樋
６    被係合部
７    家屋
８    固着具
９    締結具
【図１】
2014221976.tif 000003
【図２】
2014221976.tif 000004